(57)【要約】      （修正有）【課題】認知症のケアの場合、患者に対してやさしく体全身を包み込むような、しかもゆっくりと時間をかけた弱刺激を持続させ、現存する小児鍼などの接触鍼ではこのような時間をかけた単調な施術には無理が生じる。このような治療を時間をかけて行う場合は施術器具自体が手技を行う手の一部となり、片手で患者の体などを支えるとともにもう一方の手で挟み込むような施術法を提供する。【解決手段】円盤状の構造で手掌にフィットして固定され、手の一部として違和感を感じさせず、一方の手で患部を支え、施術側の手で覆うような施術が可能となり、更に力加減が容易に調整できることで、認知症ケアに要するやさしく体全体を包み込むように、そしてゆっくりとした弱刺激の施術が時間を気にせず提供できる、球状の鍼頭Ａを突出させ経穴に刺激を与える、治療器具。【選択図】図２
2015039627.tif 000002
【特許請求の範囲】
【請求項１】
施術器具を円盤状にすることで手技を提供する手をマジックテープ様式のバンドで固定する傍ら各指が収まるくぼみを要することでそのフィット感から手の一部として容易に強弱刺激の調節ができるとともにゆっくりとした弱刺激を長時間提供できる仕組み
【請求項２】
拇指くぼみ部に設備されたスライド式スイッチにより片手で容易に鍼頭の伸縮切り替えができ、施術環境に応じた治療が可能となる仕組み
【請求項３】
ローラー鍼の形状を球状にしてなめらかな断面を要することでやさしい弱刺激の提供を可能にし、なおかつローラー鍼部位の回転と併用したローラー鍼用の回転軸自体の回転が同時に可動することにより立体的な回転可動を可能にし、患部の凹凸などの施術環境に対して自在に対応できる仕組み
【請求項４】
各指の装着用くぼみの位置およびマジックテープの位置の違いにより右利き用または左利き用に分別される仕組み
【請求項５】
施術部を軽金属の素材で構成するとともに、本体にはプラスチック素材を使用することで重みを感じさせずスムーズな施術が可能となる仕組み
【発明の詳細な説明】
【技術分野】
【０００１】東洋医学的治療に付帯する医療器具
【背景技術】
【０００２】  認知症にならないための予防措置はいろんな医療現場にて実施されていますが、ここ最近は認知症になってからのケアにも注目が集まりだしています。医師による薬物治療とともに音楽療法やマッサージなどによる精神を安定せる治療法や貼り絵や折り紙などの脳のトレーニングによるリハビリなどを含めた非薬物療法との２種類の治療法を併用しています。その非薬物療法の中のひとつでもある認知症ケアとして用いられているのがタクティールケアという精神を安定させることで不安を取り除いてあげる効果を持つなでるような弱刺激を与えるマッサージ療法です。この治療により徘徊や暴力、暴言などの異常行動が抑制されると言われています。スエーデン生まれのこのケアには東洋医学的な治療方法と共通点があるため、二つの要素を併せ持つ治療法が構築されつつあります
【先行技術文献】
【０００３】  体表に刺鍼しない小児鍼を含む接触鍼
元来未熟児の成長を促進させるためにスエーデンの看護師により考案され、現在は認知症ケアとして用いられているタクティールケア
【発明の概要】
【０００４】  認知症患者のケアにはやさしく体全体を包み込むような、しかもゆっくりとした弱刺激を与えることで不安や興奮、怯えなどを抑えられることが実証されています。このケアを東洋医学としての治療法にあてはめることで経絡治療や経穴刺激による治療にて更に奥深いケアができることへの期待を持つもので、その治療に使用する治療用具の発明です
【発明が解決しようとする課題】
【０００５】  認知症のケアの場合、患者に対してやさしく体全身を包み込むような、しかもゆっくりと時間をかけた弱刺激を持続させないといけません。現存する小児鍼などの接触鍼ではこのような時間をかけた単調な施術には無理が生じると思われます。このような治療を時間をかけて行う場合は施術器具自体が手技を行う手の一部となり、片手で患者の体などを支えるとともにもう一方の手で挟み込むような施術法が望まれます
【問題を解決するための手段】
【０００６】  従来の小児鍼などの接触鍼のほとんどが棒状の形体であり、片方の手で患部を抑えた状態でもう一方の手で施術する方法が一般的ですが、それは施術を受ける側が施術を受けているという認識の上での治療、言い換えれば受け身の状態になっている場合の治療法です  しかし、認知症患者のほとんどが施術をされているという認識がなく、受け身の姿勢でない状態での施術を余儀なくされます。しかも施術に入ること自体が容易でなく、体に触れさせてもらえるようにコミュニケーションを取ることの必要性があります。認知症の患者さんとコミュニケーションを取るにはまず手に触れることから始めるタッチングという方法があり、施術者が認知症患者さんの片手を両手で包み込むように挟み込み手掌や手背、指などをやさしくなでるようにゆっくりとした弱刺激を伝えていきます
すなわち、それに伴う治療器具を考案する場合は、そのケアに近づいた施術法を重視することです
そこでこのたび、考案したのが片手で施術が可能な、従来の棒状形体から逸脱した円盤状の２種類の治療器具です。両方とも手掌側に装着でき、しかもマジックテープにて調節可能なバンドにより治療器具がしっかりと手に固定され、各指が装着部にフィットするようにくぼみが用意されており、手の一部として施術を行えるようになっています
２種類の治療器具のうちのひとつは経絡治療に要するもので、１２経絡のうちで最も精紳的な治療に用いられる心包経やその他の経穴に刺激を与えるために治療器具であり、施術側の中心部より球状の鍼頭を突出させることで鍼頭のみを使用する治療法が可能となり、逆に鍼頭を収めた状態で経穴とともにその周辺の刺激も同時に行えます。それらの切り替えは拇指用のくぼみの部位に設備されているスライド式スイッチにより安易に操作ができます
もう一方の治療器具は従来のローラー鍼を改良したもので、従来の一方向に対しての往復刺激だけでなく、患部の凹凸に対して自在に方向転換ができるようにローラー状の形体を球状に変え、なおかつ球状のローラーを回転させる軸自体も回転する３Ｄのような立体的回転方式を備えた治療器具です。この方式にした理由は施術中に患部を手掌で覆う形になるために患部の凹凸や状況がわからないため、その状況に応じた回転運動を自在にこなせるような形式を取りました
この２種類の治療器具の最大の要因は手の一部として違和感なく力の強弱の調整が安易にできることで長時間の弱刺激による施術が容易にこなせる治療器具です
材質は鍼頭やローラー鍼の部分をステンレス等の軽金属を使用し、その周囲の素材にはアルミ材を用い、本体部分をプラスチックにすることで重みを感じさせずスムーズな施術を提供できるような治療器具です
【発明の効果】
【０００７】  円盤状の構造で手掌にフィットして固定されるため、手の一部として違和感を感じさせず、一方の手で患部を支え、施術側の手で覆うような施術が可能となり、更に力加減が容易に調整できることで、認知症ケアに要するやさしく体全身を包み込むように、そしてゆっくりとした弱刺激の施術が時間を気にせず提供できる治療器具です
【図面の簡単な説明】
【０００８】
【図１】…経絡治療用接触鍼の正面図（施術面）
【図２】…経絡治療用接触鍼の側面図（鍼頭を収めた状態）
【図３】…経絡治療用接触鍼の横から見た内部構造
【図４】…経絡治療用接触鍼の裏面図
【図５】…経絡治療用接触鍼の側面図（鍼頭を伸ばした状態）
【図６】…３Ｄ様可動式ローラー鍼の正面図（施術面）
【図７】…３Ｄ様可動式ローラー鍼の側面図
【図８】…３Ｄ様可動式ローラー鍼の裏面図
【図９】…３Ｄ様可動式ローラー鍼の横から見た内部構造
【図１０】…３Ｄ様可動式ローラー鍼のローラーの３Ｄ様式の回転方向図  ※上記２種類の治療器具の図面は両方とも右利き用の図面です
【実施例】
【０００９】  認知症ケアに付帯する東洋医学的治療はまだまだ始まったばかりで、専門的な施術用具が開発されていない現状の打開を期待するものである
【符号の説明】
【００１０】  Ａ…経絡治療用接触鍼の鍼頭部分    Ｂ…経絡治療用接触鍼の鍼頭周辺の施術部
Ｃ…経絡治療用接触鍼のプラスティック製の本体    Ｄ…経絡治療用接触鍼のマジックテープ方式の調節バンド    Ｅ…経絡治療用接触鍼の小指用くぼみ    Ｆ…経絡治療用接触鍼の薬指用くぼみ    Ｇ…経絡治療用接触鍼の中指用くぼみ    Ｈ…経絡治療用接触鍼の示指用くぼみ    Ｉ…経絡治療用接触鍼の拇指用くぼみ    Ｊ…経絡治療用接触鍼の鍼頭の伸縮を切り替えるスイッチ    Ｋ…経絡治療用接触鍼の鍼頭を伸縮させるための支柱
Ｌ…３Ｄ様可動式ローラー鍼の球状ローラー部    Ｍ…３Ｄ様可動式ローラー鍼のローラー部周囲のカバー    Ｎ…３Ｄ様可動式ローラー鍼のプラスティック製の本体
Ｏ…３Ｄ様可動式ローラー鍼のマジックテープ方式の調節バンド    Ｐ…３Ｄ様可動式ローラー鍼の小指用くぼみ    Ｑ…３Ｄ様可動式ローラー鍼の薬指用くぼみ    Ｒ…３Ｄ様可動式ローラー鍼の中指用くぼみ    Ｓ…３Ｄ様可動式ローラー鍼の示指用くぼみ
Ｔ…３Ｄ様可動式ローラー鍼の拇指用くぼみ    Ｕ…３Ｄ様可動式ローラー鍼のローラーを回転させる支軸部を回転させる支軸    Ｖ…３Ｄ様可動式ローラー鍼のローラーを回転させるための支軸    ▲１▼…３Ｄ様可動式ローラー鍼のローラーの回転方向（往復可動）    ▲２▼…３Ｄ様可動式ローラー鍼のローラー支軸の回転方向（往復可動）
【産業上の利用可能性】
【００１１】  近未来、高齢者層の増加による認知症の発生率も高くなる可能性の中で認知症ケアは必要不可欠なものになるという期待とともに東洋医学的治療の分野でもある鍼灸マッサージ師の施術範囲を広めることで、就職難のために困窮する施術者たちの未来を根ざした治療に役立つことと期待するものです
【図１】
2015039627.tif 000003
【図２】
2015039627.tif 000004
【図３】
2015039627.tif 000005
【図４】
2015039627.tif 000006
【図５】
2015039627.tif 000007
【図６】
2015039627.tif 000008
【図７】
2015039627.tif 000009
【図８】
2015039627.tif 000010
【図９】
2015039627.tif 000011
【図１０】
2015039627.tif 000012